(57)【要約】      （修正有）【課題】操作が容易であるだけでなく、電極をより正確かつ強固に操作ハンドルに固定するように確保することもできるレゼクトスコープ操作ハンドルと電極との嵌合構造を提供する。【解決手段】嵌合構造は、レゼクトスコープ操作ハンドルのスライダ２１と、電極のポスト３１とを備え、スライダは、正面及び背面を有し、スライダの正面に、ポストの取付のための取付溝が設けられ、ポストの端面は、スライダの正面に垂直であり、ポストは、取付溝内に取り付けられ、且つポストの軸方向は、ハンドルの所在する平面に垂直である。【選択図】図３
0003227462.tif 000002
【実用新案登録請求の範囲】
【請求項１】
レゼクトスコープ操作ハンドルと電極との嵌合構造であって、前記嵌合構造は、レゼクトスコープ操作ハンドルのスライダ（２１）と、電極のポスト（３１）とを備え、
前記スライダ（２１）は、正面及び背面を有し、前記スライダ（２１）の正面に、前記ポスト（３１）の取付のための取付溝が設けられ、前記ポスト（３１）の端面は、前記スライダ（２１）の正面に垂直であり、前記ポスト（３１）は、前記取付溝内に取り付けられ、且つ前記ポスト（３１）の軸方向は、前記ハンドルの所在する平面に垂直であることを特徴とする、前記レゼクトスコープ操作ハンドルと電極との嵌合構造。
【請求項２】
前記取付溝は、Ｕ字状溝（２１１）であり、前記Ｕ字状溝（２１１）の開口は、前記スライダ（２１）の左側面を貫通し、前記Ｕ字状溝（２１１）の下部には、前記スライダ（２１）を貫通する切欠きを有し、前記Ｕ字状溝（２１１）の内壁に、内側に向けて凹んだＣ字状凹溝（２１２）が設けられ、前記Ｕ字状溝（２１２）の内壁の右下と前記スライダ（２１）の正面との交差箇所に弧状溝が設けられ、
前記スライダ（２１）は、前記レゼクトスコープ操作ハンドルのブリッジの一端に固定され、
前記ポスト（３１）は、ホストカバー（３１１）と、インナーハウジング（３１２）と、アウターハウジング（３１３）とを含み、前記ポストカバー（３１１）は、前記インナーハウジング（３１２）の底部に接続され、前記アウターハウジング（３１３）は、前記インナーハウジング（３１２）の外部に嵌着され、前記アウターハウジング（３１３）とインナーハウジング（３１２）とは、ハウジング組立体を構成し、前記ハウジング組立体に、アウターハウジング（３１３）及びインナーハウジング（３１２）の軸方向の移動を制限するための第１ストッパ機構、インナーハウジング（３１２）の円周方向の回動を制限するための第２ストッパ機構が設けられ、前記アウターハウジング（３１３）は、前記インナーハウジング（３１２）周りに正逆回転可能であり、
前記アウターハウジング（３１３）の底部に環状ショダル部（３１３１）が設けられ、前記環状ショダル部（３１３１）に、外へ突出するストッパボス（３１３２）が設けられ、
前記ポスト（３１）の端部は、前記スライダ（２１）の前記正面に垂直に対向し、前記ポスト（３１）は、前記Ｕ字状溝（２１１）に沿って前記スライダ（２１）に嵌め込むことが可能であり、前記アウターハウジング（３１３）を回転する時、前記ストッパボス（３１３２）と前記弧状溝の端面とを当接させることができ、且つ前記環状ショダル部を前記Ｃ字状凹溝（２１２）内に螺入させることができることを特徴とする
請求項１に記載のレゼクトスコープ操作ハンドルと電極との嵌合構造。
【請求項３】
前記弧状溝は、１／４円状溝（２１３）であることを特徴とする
請求項２に記載のレゼクトスコープ操作ハンドルと電極との嵌合構造。
【請求項４】
前記第１ストッパ機構は、前記インナーハウジング（３１２）の外壁に設けられる環状フランジ（３１２１）を含むことを特徴とする
請求項２に記載のレゼクトスコープ操作ハンドルと電極との嵌合構造。
【請求項５】
前記第２ストッパ機構は、前記インナーハウジング（３１２）の頂部に設けられてインナーハウジング（３１２）の軸方向に沿って延在する位置決め突起（３１２２）と、前記アウターハウジング（３１３）の頂部内壁に設けられて前記位置決め突起（３１２２）に対応する位置決め孔とを含むことを特徴とする
請求項４に記載のレゼクトスコープ操作ハンドルと電極との嵌合構造。
【請求項６】
前記インナーハウジング（３１２）の底部に、環状突起を有するベースが設けられ、前記環状ショルダ部（３１３１）は、前記ベースの上端部に当接することを特徴とする
請求項２に記載のレゼクトスコープ操作ハンドルと電極との嵌合構造。
【請求項７】
前記アウターハウジング（３１３）における対向する両側に、互いに平行である平面（３４）を有し、前記平面（３４）は、前記アウターハウジング（３１３）の頂端から前記環状ショルダ部（３１３１）の底端まで延びることを特徴とする
請求項２に記載のレゼクトスコープ操作ハンドルと電極との嵌合構造。
【請求項８】
前記電極は、ポスト（３１）と、電極ロッド（３２）と、高周波接続ワイヤ（３３）とを含み、前記高周波接続ワイヤ（３３）は、前記電極ロッド（３２）に接続され、且つ前記インナーハウジング（３１２）内に固定され、前記インナーハウジング（３１２）内に、エポキシ接着剤が注入されており、前記ポストカバー（３１１）は、前記インナーハウジング（３１２）を封止し、前記アウターハウジング（３１３）は、前記インナーハウジング（３１２）に嵌着されて固定されることを特徴とする
請求項２に記載のレゼクトスコープ操作ハンドルと電極との嵌合構造。
【請求項９】
前記嵌合構造は、軟質弾性材料からなる封止プラグ（２８）を更に備え、前記操作ハンドルの遠位端は、内側シース（５０）の近位端に固定されるためのハンドル締め付けヘッドを有し、前記操作ハンドルの近位端は、内視鏡（４０）のロッド部の近位端との接続に用いられ、内視鏡（４０）のロッド部の遠位端は、前記電極に向けて延びており、前記封止プラグ（２８）は、前記内側シース（５０）の近位端とハンドル締め付けヘッドとの間に設けられることを特徴とする
請求項１に記載のレゼクトスコープ操作ハンドルと電極との嵌合構造。
【請求項１０】
前記封止プラグ（２８）は、柱状となり、前記封止プラグ（２８）の軸方向に２つの貫通孔が設けられ、各貫通孔はそれぞれ、前記内視鏡（４０）のロッド部及び前記電極の電極ロッド（３２）を通過させるためのものであり、前記内側シース（５０）の近位端内に、前記封止プラグ（２８）の遠位端に当接するためのストッパ面が設けられ、前記内側シース（５０）の近位端の側壁は、前記封止プラグ（２８）を被覆するように前記ハンドル締め付けヘッドに固定接続され、前記封止プラグ（２８）の近位端は、前記ハンドル締め付けヘッドに当接することを特徴とする
請求項９に記載のレゼクトスコープ操作ハンドルと電極との嵌合構造。
【請求項１１】
前記封止プラグ（２８）と前記内側シース（５０）は、締り嵌めで嵌合され、前記内側シース（５０）の近位端がハンドル締め付けヘッドに締め付けられて接続されてから、前記封止プラグ（２８）は、押圧されて変形して、内側シース（５０）の近位端の内壁に密着されることを特徴とする
請求項１０に記載のレゼクトスコープ操作ハンドルと電極との嵌合構造。
【請求項１２】
前記封止プラグ（２８）の底面に突起部（２８１）が更に設けられ、前記突起部（２８１）は、ハンドル締め付けヘッド（２７）の側壁の切欠き（２７１）内に挿入可能であり、封止プラグ（２８）を周方向位置決めすることを特徴とする
請求項１１に記載のレゼクトスコープ操作ハンドルと電極との嵌合構造。
【考案の詳細な説明】
【技術分野】
【０００１】
本考案は、医療機器技術分野に関し、特に、レゼクトスコープ操作ハンドルと電極との嵌合構造及び嵌合方法に関する。
【背景技術】
【０００２】
レゼクトスコープは、電気外科に通常使用される器具であり、電極と併用することが可能であり、泌尿器科の低侵襲性電気切開手術に広く用いられている。汎用レゼクトスコープは、外側シースと、内側シースと、内視鏡と、操作ハンドルとを備え、操作ハンドルは、内側シースと内視鏡を接続して電極を取り付けることが可能であるマニピュレータである。手術中、医療者は、操作ハンドルを手で把持し、ハンドルにおけるスライダを親指で押すことで、電極の位置を制御し、組織の切除、凝固を行うことができる。
【０００３】
出願番号２００９２００５４４４６．７の中国特許文献において、プラズマバイポーラレゼクトスコープが開示されている。スライダに貫通孔を開設し、電極ポストを円柱状に設計し、電極をスライダの貫通孔に挿入し、孔と軸との遊嵌を実現させることで、操作ハンドルと電極を固定する。該方法で組み立てると、ポストとスライダとは、軸方向に位置決めされず、ポストは軸方向に移動可能である。従って、該方法による制約が不十分であり、位置決めが強固なものではなく、実際の使用中、電極は使用中にずれることがある。
【０００４】
出願番号２０１６２１３７７３２６．７の中国特許文献において、バイポーラレゼクトスコープにおける電気切開ハンドルのスライダユニットが開示されている。操作ハンドルにおけるスライダに、位置決めブロックと、バネと、鋼球と、位置決めガイドブロックと、バネホルダと、エジェクターピンとを含む可動な係止タブが設計され、エジェクターピンとバネホルダとの間にチルトスライダが設けられると共に、電極の２本の電極間に斜角先端溝が設計される。電極管をスライダにおける孔に沿って挿入してから、エジェクターピンを押圧し、バネホルダで電極管における斜角先端溝を係止することで電極を固定する。該態様において、スライダにおける部材が多く、各部材の加工及び組立が煩わしい。また、電極管の壁が薄いため、管壁に斜めに開口することが困難である。なお、高周波接続ワイヤと電極は、分離されており、使用中、高周波接続ワイヤと電極を接続する必要があるため、漏電、接触不良のリスクが存在する。従って、該態様の構造が複雑であり、製造プロセスに求められる要件が高く、電極の取付及び取り外しは、不便である。
【０００５】
なお、内側シース、内視鏡及び操作ハンドルの接続形態について、操作ハンドルの近位端は内視鏡の近位端に接続され、操作ハンドルの遠位端はハンドル締め付けヘッドであり、ハンドル締め付けヘッドは、内側シースの近位端との締め付けに用いられ、手術中の電解液のハンドルへの逆流を避けるために、ハンドル締め付けヘッドと内側シースとの接続部は、封止プラグにより封止される。具体的には、ハンドル締め付けヘッドの側壁に切欠きが設けられ、電極ロッドの外に軟質弾性封止プラグが嵌着され、該封止プラグは、ハンドル締め付けヘッドの切欠きに嵌合され、電極とハンドルが組み立てられてから、封止プラグは、ハンドル締め付けヘッドの切欠きに充填され、ハンドル締め付けヘッドの外表面が連続的に滑らかなものとなり、電極ロッドは径方向にハンドルに固定され、封止プラグの弾性により、ハンドルと電極部との相対的な封止が実現した。しかしながら、このような封止構造には下記欠点が存在する。ハンドル締め付けヘッドと封止プラグとの接触面積が小さいため、両者の嵌合が不安定なものとなる。従って、内視鏡と電極との相対的な固定、電極とハンドルとの相対的な固定はいずれも不安定なものとなる。また、ハンドル締め付けヘッドが剛性材料からなるものであり、封止プラグが弾性材料からなるものであり、両者の摩耗程度が異なるため、両者の間に隙間又は接触不良が存在して封止性が低いことを引き起こすことがある。なお、ハンドル締め付けヘッドの外側面が剛性のものであり、変形が不可能であるため、同じく剛性のものである内側シースと嵌合する時に、隙間が発生して封止性が低いことを引き起こすことがある。
【考案の概要】
【考案が解決しようとする課題】
【０００６】
従来技術における課題について、本考案は、好適な操作性を確保して、電極と操作ハンドルとの嵌合をより確実することができるレゼクトスコープ操作ハンドルと電極との嵌合構造を提供する。
【課題を解決するための手段】
【０００７】
上記目的を実現させるために、本考案は、下記技術的解決手段を用いる。
【０００８】
レゼクトスコープ操作ハンドルと電極との嵌合構造であって、前記嵌合構造は、レゼクトスコープ操作ハンドルのスライダと、電極のポストとを備え、
前記スライダは、正面及び背面を有し、前記正面及び背面は、それぞれユーザの内側及び外側に対応し、前記スライダの正面に、前記ポストの取付のための取付溝が設けられ、前記ポストの端面は、前記スライダの正面に垂直であり、前記ポストは、前記取付溝内に取り付けられ、且つ前記ポストの軸方向は、前記ハンドルの所在する平面に垂直である。
【０００９】
好ましくは、前記取付溝は、Ｕ字状溝であり、前記Ｕ字状溝の開口は、前記スライダの左側面を貫通し、前記Ｕ字状溝の下部には、前記スライダを貫通する切欠きを有し、前記Ｕ字状溝の内壁に、内側に向けて凹んだＣ字状凹溝が設けられ、前記Ｕ字状溝の内壁の右下と前記スライダの正面との交差箇所に弧状溝が設けられ、
前記スライダは、前記レゼクトスコープ操作ハンドルのブリッジの一端に固定され、前記レゼクトスコープ操作ハンドルの支柱は、前記スライダを貫通し、
前記ポストは、ホストカバーと、インナーハウジングと、アウターハウジングとを含み、前記インナーハウジングは、ケーブルを通過させるためのものであり、前記ポストカバーは、前記インナーハウジングの底部に接続され、前記アウターハウジングは、前記インナーハウジングの外部に嵌着され、前記アウターハウジングとインナーハウジングとは、ハウジング組立体を構成し、前記ハウジング組立体に、アウターハウジング及びインナーハウジングの軸方向の移動を制限するための第１ストッパ機構、インナーハウジングの円周方向の回動を制限するための第２ストッパ機構が設けられ、前記アウターハウジングを、前記インナーハウジング周りに正逆回転可能にし、
前記アウターハウジングの底部に環状ショダル部が設けられ、環状ショダル部に、外へ突出するストッパボスが設けられ、
前記ポストは、前記Ｕ字状溝に沿って前記スライダに嵌め込むことが可能であり、前記アウターハウジングを回転する時、前記ストッパボスと前記弧状溝の端面とを当接させることができ、且つ前記環状ショダル部を前記Ｃ字状凹溝内に螺入させることで、前記電極を前記スライダに拘束し、前記アウターハウジングを軸とした回動以外、他方向の自由度はいずれも規制される。
【００１０】
好ましくは、前記弧状溝は、１／４円状溝であり、つまり前記弧状溝の弧形状は９０°となる。
【００１１】
好ましくは、前記第１ストッパ機構は、前記インナーハウジングの外壁に設けられる環状フランジを含む。
【００１２】
好ましくは、前記第２ストッパ機構は、前記インナーハウジングの頂部に設けられてインナーハウジングの軸方向に沿って延在する位置決め突起と、前記アウターハウジングの頂部内壁に設けられて前記位置決め突起に対応する位置決め孔とを含む。
【００１３】
好ましくは、前記インナーハウジングの底部に、環状突起を有するベースが設けられ、前記環状ショルダ部は、前記ベースの上端部に当接する。
【００１４】
好ましくは、前記アウターハウジングにおける対向する両側に、互いに平行である平面を有し、前記平面は、前記アウターハウジングの頂端から前記環状ショルダ部の底端まで延びる。
【００１５】
好ましくは、前記電極は、ポストと、電極ロッドと、高周波接続ワイヤとを含み、前記高周波接続ワイヤは、前記電極ロッドに接続され、且つ前記インナーハウジング内に固定され、前記インナーハウジング内に、エポキシ接着剤が注入されており、前記ポストカバーは、前記インナーハウジングを封止し、前記アウターハウジングは、前記インナーハウジングに嵌着されて固定される。
【００１６】
好ましくは、前記嵌合構造は、軟質弾性材料からなる封止プラグを更に備え、前記操作ハンドルの遠位端は、内側シースの近位端に固定されるためのハンドル締め付けヘッドを有し、前記操作ハンドルの近位端は、内視鏡のロッド部の近位端との接続に用いられ、内視鏡のロッド部の遠位端は、前記電極に向けて延びており、前記封止プラグは、前記内側シースの近位端とハンドル締め付けヘッドとの間に設けられる。
【００１７】
好ましくは、前記封止プラグは、柱状となり、前記封止プラグの軸方向に２つの貫通孔が設けられ、各貫通孔はそれぞれ、内視鏡のロッド部及び前記電極の電極ロッドを通過させるためのものであり、前記内側シースの近位端内に、前記封止プラグの遠位端に当接するためのストッパ面が設けられ、前記内側シースの近位端の側壁は、前記封止プラグを被覆するように前記ハンドル締め付けヘッドに固定接続され、前記封止プラグの近位端は、前記ハンドル締め付けヘッドに当接する。
【００１８】
好ましくは、前記封止プラグと前記内側シースは、締り嵌めで嵌合され、前記内側シースの近位端がハンドル締め付けヘッドに締め付けられて接続されてから、前記封止プラグは、押圧されて変形して、内側シースの近位端の内壁に密着され、両者の間に隙間が存在しない。
【００１９】
好ましくは、前記封止プラグの底面に突起部が更に設けられ、前記突起部は、ハンドル締め付けヘッドの側壁の切欠き内に挿入可能であり、封止プラグを周方向位置決めする。
【００２０】
本考案は、上記嵌合構造の嵌合方法を更に提供し、該方法は、
取付時、前記ポストの端部を前記Ｕ字状溝に沿ってＵ字状溝の内端部に押してから、ポストのアウターハウジングを、回転できなくなるまで時計回りに回転させ続け、前記電極と前記スライダを締め付けるステップＡと、
取外し時、まず、ポストのアウターハウジングを、回転できなくなるまで反時計回りに回転させ続け、前記Ｕ字状溝に沿ってポストを押し出し、前記電極と前記スライダとの拘束を解除するステップＢと、を含む。
【考案の効果】
【００２１】
従来技術に比べて、本考案は下記利点を有する。
【００２２】
１、本考案のポストのアウターハウジングにショルダ部が設けられ、スライダにＣ字状凹溝が設けられ、回転により、アウターハウジングにおけるショルダ部がＣ字状凹溝内に螺入され、ショルダ部の上下表面が、Ｃ字状凹溝内の上下表面に完全に密着され、ショルダ部の側壁が、Ｃ字状溝の側壁に完全に密着され、ポストの軸方向及び平面方向の自由度が制限されることで、電極とスライダの位置の安定性が確保される。
【００２３】
２、本考案のスライダには余分な部材が存在せず、スライダに２つの溝状構造を設けるだけでよい。電極のポストに、対応するストッパ構造が設けられ、ポストの部材は、射出成形で成形され、また、高周波接続ワイヤと電極が一体に形成されてもよく、化工プロセスが簡略化される。
【００２４】
３、本考案のポストは、操作ハンドルの所在する平面に垂直であるように操作ハンドルの片側に位置し、側面から取り付けられ、より便利であり、操作しやすく、電極のケーブルが手術中に操作をしている医者の手との干渉が避けられ、操作を妨害するという課題の発生が避けされる。
【００２５】
４、本考案の封止プラグは、ハンドル締め付けヘッドと内側シースの端面との間で封止層を形成し、封止層の材質は均一であり、内部に隙間が存在せず、ポストは、ハンドル締め付けヘッド及び内側シースにより押圧されて変形してから、封止性がより好ましくなり、封止プラグにおける突起部を設計することで、従来技術におけるハンドル締め付けヘッドに適応可能であるだけでなく、封止プラグの周方向位置決めを実現させることもでき、回転による封止性への影響を避け、より好ましい封止性が実現する。
【図面の簡単な説明】
【００２６】
【図１】本操作ハンドルにおけるスライダの構成を示す図である。
【図２】電極を示す分解図である。
【図３】レゼクトスコープ操作ハンドルと電極の組立を示す図である。
【図４】スライダとポストとの嵌合を示す断面図である。
【図５】スライダとポストとの嵌合を別の視点から見た断面図である。
【図６】操作ハンドルの立体構成を示す概略図である。
【図７】内側シース、封止プラグ及びハンドル締め付けヘッドの接続箇所を示す断面図である。
【考案を実施するための形態】
【００２７】
本実施例は、レゼクトスコープ操作ハンドルと電極との嵌合構造を提供する。
【００２８】
図１、図３及び図６を参照すると、スライダ２１は、レゼクトスコープ操作ハンドルの部材の１つであり、電極を固定し電極を動かして前後に摺動させるという役割を果たす。レゼクトスコープ操作ハンドルが用いられる時にオペレータに対向する面を正面と定義すると、スライダ２１は、正面、背面、左側面、右側面、頂面及び底面という６つの面を有する。ここで、１つの貫通孔は、左側面及び右側面を貫通する。該貫通孔は、支柱貫通孔２１４である。スライダ２１の正面に、ネジ固定孔２１５が設けられると共に、スライダ２１に、Ｕ字状溝２１１が設けられる。Ｕ字状溝２１１は、スライダ２１の正面から内側に向けて凹んでおり、底面が平面である凹溝となる。Ｕ字状溝２１１の左端は、前記スライダ２１の左側面を貫通し、Ｕ字状溝２１１の下部は、スライダ２１の底面を貫通して切欠きを形成する。Ｕ字状溝２１１の内壁に、内側に向けて凹んだＣ字状凹溝２１２が設けられる。Ｕ字状溝２１１の内壁の右下と前記スライダ２１の正面との交差箇所に１／４円状溝２１３が設けられる。前記Ｕ字状溝２１１の上端面と下端面は、互いに平行である。
【００２９】
スライダ２１は、ネジ固定孔２１５を介してレゼクトスコープ操作ハンドルのブリッジ２３に固定され、支柱貫通孔２１４は、レゼクトスコープ操作ハンドルの支柱２２と嵌合され、ブリッジ２３は、リンクレバー機構であり、指の力による駆動で、スライダ２１を動かして支柱２２に沿って前後移動させることができる。具体的には、図６に示すように、ブリッジ２３に、３つのノードが設けられ、左端ノード２３１は、スライダ２１との接続に用いられ、右端ノード２３３は、固定リング２５に取り付けられ、固定リング２５は支柱２２に固定され、中間ノード２３２に、復帰用ねじりバネが取り付けられる。
【００３０】
図２及び図３を参照すると、本実施例の電極は、ポスト３１と、電極ロッド３２と、高周波接続ワイヤ３３とを含み、ポスト３１は、ポストカバー３１１と、インナーハウジング３１２と、アウターハウジング３１３とを含み、前記インナーハウジング３１２及びアウターハウジング３１３の外形はいずれも円柱状である。インナーハウジング３１２は、上下に貫通しており、貫通孔は、ワイヤホール３１２３である。インナーハウジング３１２の底部に、環状に突起したベースが設けられ、インナーハウジング３１２の外壁に、環状フランジ３１２１が設けられ、環状フランジ３１２１は、前記ベースに隣接する。インナーハウジング３１２の頂部に、インナーハウジング３１２の軸方向に沿って延びる位置決め突起３１２２が設けられる。アウターハウジング３１３は、筒状となり、上下に貫通しており、その底部に、外へ突出する環状ショルダ部３１３１が設けられる。該環状ショルダ部３１３１は、留め具の役割を果たす。アウターハウジング３１３の外壁にストッパボス３１３２が設けられる。アウターハウジング３１３の内壁の頂部に、位置決め突起３１２２に対応する異形孔３１３３が設けられる。ホストカバー３１１は、インナーハウジング３１２の底部に嵌合され、アウターハウジング３１３は、インナーハウジング３１２の外部に嵌着され、アウターハウジング３１３の環状ショルダ部３１３１は、インナーハウジング３１２のベースの上端部に当接する。アウターハウジング３１３における対向する２つの側壁は、互いに平行である平面３４を有し、２つの平面３４は、アウターハウジングの底部からアウターハウジングの頂部まで延びる。２つの平面３４の間隔は、Ｕ字状溝２１１の上端面と下端面との間隔に適合する。これにより、アウターハウジング３１３の２つの平行な平面３４は、Ｕ字状溝２１１の上端面と下端面との間に入りやすくなる。
【００３１】
高周波接続ワイヤ３３と電極ロッド３２が溶接されてから、インナーハウジング３１２内に固定される。インナーハウジング内にエポキシ接着剤が注入されており、ホストカバー３１１は、インナーハウジング３１２を封止する。アウターハウジング３１３は、インナーハウジング３１２に嵌着されて固定され、環状フランジ３１２１により、インナーハウジング３１２の軸方向の移動を制限する。位置決め突起３１２２は、異形孔３１３３を貫通して、インナーハウジング３１２の円周方向位置決めを実現させる。従って、アウターハウジング３１３は、インナーハウジング３１２を軸として、９０度正逆回転可能である。
【００３２】
図３を参照すると、電極とレゼクトスコープ操作ハンドルを取り付ける過程において、電極のポスト３１をまずスライダ２１に固定してから、内視鏡４０に固定する。取り外し過程において、まず電極のポスト３１をスライダ２１から脱離させてから、内視鏡４０から取り外す。
【００３３】
具体的には、図１〜６を参照すると、電極をレゼクトスコープ操作ハンドルに取り付ける過程において、まずポスト３１の端部をスライダ２１の正面に垂直に対向させ、前記ポスト３１のアウターハウジング３１３の２つの平行な３４を水平方向まで回転させ、スライダ２１のＵ字状溝２１１に沿ってスライダ２１に嵌め込んでから、アウターハウジング３１３におけるストッパボス３１２がスライダ２１における１／４円状溝２１３の下部端面に当接するまでアウターハウジング３１３を時計回りに回転させ続ける。この時、アウターハウジング３１３における環状ショルダ部３１３１がスライダ２１におけるＣ字状凹溝２１２内に螺入され、電極がスライダに拘束され、アウターハウジング３１３を軸とした回動以外、他方向の自由度はいずれも規制される。更に内視鏡４０内に組み立てられて固定されてから、図３に示すように、電極は、スライダ２１に伴って前後に運動することしかできない。
【００３４】
電極を取り外す過程において、まず、アウターハウジング３１３におけるストッパボス３１３２がスライダ２１における１／４円状溝２１３の別の端面（即ち、上部端面）に当接するまで、ポスト３１のアウターハウジング３１３を反時計回りに回転させ続ける。この時、アウターハウジング３１３におけるショルダ部３１３１は、スライダ２１におけるＣ字状凹溝２１２内から外し、続いてＵ字状溝２１１に沿ってポスト３１をスライダ２１から脱落させる。この時、電極と操作ハンドルとの拘束が解除され、更に電極を内視鏡から外してから、取り外しを完了する。
【００３５】
ポスト３１のアウターハウジング３１３は、正逆回転可能であり、アウターハウジング３１３は、留め具を有し、スライダ２１に固定されて電極を締め付けて位置決めすることが可能であるだけでなく、スライダ２１から容易に取り外すことも可能である。
【００３６】
操作ハンドルの遠位端は、ハンドル締め付けヘッド２７であり、ハンドル締め付けヘッド２７は、内側シース５０の近位端と係止されるために用いられる。外側シースは、内側シース５０の外部に嵌着される。操作ハンドルの近位端２６は、内視鏡４０の近位端との接続に用いられ、内視鏡４０の遠位端は、電極１０に向けて延びる。封止プラグ２８は、内側シース５０の近位端とハンドル締め付けヘッド２７との間に設けられ、封止の役割を果たす。
【００３７】
具体的には、図７に示すように、封止プラグ２８は、軟質弾性材料からなる。封止プラグ２８は、柱状となる。前記封止プラグの軸方向に２つの貫通孔が設けられ、各貫通孔はそれぞれ、内視鏡４０のロッド部及び電極１０の電極ロッド３２を通過させるためのものである。内側シース５０の近位端内に、前記封止プラグ２８の遠位端に当接するためのストッパ面が設けられ、内側シース５０の近位端の側壁は、前記封止プラグ２８を被覆するように前記ハンドル締め付けヘッド２７に固定接続され、封止プラグ２８の近位端は、前記ハンドル締め付けヘッド２７に当接する。封止プラグ２８と内側シースは、締り嵌めで嵌合され、内側シースの近位端がハンドル締め付けヘッドに締め付けられて接続されてから、封止プラグは、押圧されて変形して、内側シースの近位端の内壁に密着され、両者の間に隙間が存在しない。
【００３８】
封止プラグ２８の底面に突起部２８１が更に設けられ、該突起部２８１は、ハンドル締め付けヘッド２７の側壁における既存の切欠き２７１内に挿入可能であり、封止プラグ２８を周方向位置決めし、封止プラグ２８の安定性及び封止性を更に向上させる。
【００３９】
電極と操作ハンドルを接続する前に、封止プラグ２８を電極ロッド３２に嵌着する。電極と操作ハンドルを接続する時、内視鏡４０のロッド部を別の貫通孔に貫通させる。内側シースが取り付けられてから、封止プラグ２８は、内側シースの近位端及びハンドル締め付けヘッド２７により押圧され、内側シースとハンドルとの封止の役割を果たす。
【００４０】
上記実施例は本考案の技術的解決手段を説明するためのものに過ぎず、それを限定するためのものではない。好適な実施例を参照して本考案を詳しく説明しているが、本考案の技術的解決手段の精神や範囲から逸脱することなく本考案の技術的解決手段に修正又は同等交換を行うことができ、それらはいずれも本考案の特許請求の範囲内に含まれることは当業者が理解できることである。
【図１】
0003227462.tif 000003
【図２】
0003227462.tif 000004
【図３】
0003227462.tif 000005
【図４】
0003227462.tif 000006
【図５】
0003227462.tif 000007
【図６】
0003227462.tif 000008
【図７】
0003227462.tif 000009